(57)【要約】  本発明は、病気の場合に又は予防措置として人体を効果的に治療するために、追加の薬物治療を使用することなく、銀イオンの抗菌作用を用いて病原体微生物を低減するための操作が簡単な装置に関する。この目的は、ハンドルと、身体と接触するマイナス極と、プラス極を有する装置頭部とを備え、この結果、極の間に低電圧が発生される装置によって達成され、この場合、少なくともプラス極は、回路が閉じられたときにプラスイオンを身体組織内に放出する銀から製造される。【選択図】図1
2011523365.tif 000002
【特許請求の範囲】
【請求項１】
ハンドグリップと、身体と接触するマイナス極と、プラス極を有する装置頭部とを備え、前記装置の低電圧が前記極の間に発生される病原性微生物を低減するための装置において、
少なくともプラス極（４）が、電流回路の閉鎖の際にプラスイオンを身体組織内に遊離する銀からなることを特徴とする装置。
【請求項２】
少なくとも前記プラス極が０．９９９の純銀からなることを特徴とする、請求項１に記載の病原性微生物を低減するための装置。
【請求項３】
少なくとも前記プラス極が交換可能な銀製フィルムからなることを特徴とする、請求項１又は２に記載の病原性微生物を低減するための装置。
【請求項４】
−装置（１）のハンドグリップ（２）が、その中央領域にマイナス極（６）として作用する導電性のゾーンを備え、
−銀層が、プラス極（４）として装置（１）の装置頭部（３）に配置され、
−電源（５）が装置内部に格納されることを特徴とする、
請求項１〜３のいずれか一項に記載の病原性微生物を低減するための装置。
【請求項５】
装置（１）の装置頭部（３）が取り外し可能でありかつ交換可能であり、装置頭部（３）が金属製プラグ接続部を介して装置（１）に取り付けられることを特徴とする、請求項１〜４のいずれか一項に記載の病原性微生物を低減するための装置。
【請求項６】
装置（１）の装置頭部（３）が、ソケット（８）とケーブル（９）とを介してハンドグリップ（２）に結合され、したがって、ハンドグリップ（２）から離して使用することができることを特徴とする、請求項１〜５のいずれか一項に記載の病原性微生物を低減するための装置。
【請求項７】
装置（１）に２つのソケットが配置され、前記２つのソケットの一方が、内部電圧源の陰極に、前記２つのソケットの他方が、ハンドグリップ（２）の導電性のゾーンに結合されることを特徴とする、請求項１〜６のいずれか一項に記載の病原性微生物を低減するための装置。
【請求項８】
装置（１）の２つのソケットが、人自身の手による使用中に電気的にブリッジされ、これによって、ハンドグリップ（２）の導電性のゾーンに接触する際に、装置（１）の装置頭部（３）が前記人の身体と接触すると、電流回路が装置（１）を使用する人の腕を介して閉じられることを特徴とする、請求項７に記載の病原性微生物を低減するための装置。
【請求項９】
装置頭部（３）がほぼ顎状の、断面がほぼＵ字状のトラックとして設計され、前記トラックが、少なくとも１つのソケット（８）と少なくとも１つのケーブル（９）とを介して装置（１）の残部に結合され、前記トラックが、歯肉縁に沿った内部に銀層（１１）を含むことを特徴とする、請求項１〜８のいずれか一項に記載の病原性微生物を低減するための装置。
【請求項１０】
トラック状の装置頭部（３）が可撓性合成材料又はシリコーンからなることを特徴とする、請求項９に記載の病原性微生物を低減するための装置。
【請求項１１】
銀から製造された少なくともプラス極（４）を有する装置（１）の装置頭部（３）が、ほぼ棒状であることを特徴とする、請求項１〜８のいずれか一項に記載の病原性微生物を低減するための装置。
【請求項１２】
ほぼ棒状の装置頭部（３）が取り外し可能かつ交換可能であり、少なくとも１つのソケット（８）と少なくとも１つのケーブル（９）とを介して装置（１）の残部に結合され、別のグリップ（１９）が、ほぼ棒状の装置頭部（３）の一方の端部に配置されることを特徴とする、請求項１１に記載の病原性微生物を低減するための装置。
【請求項１３】
装置（１）の少なくとも装置頭部（３）が殺菌可能な材料からなることを特徴とする、請求項１〜１２のいずれか一項に記載の病原性微生物を低減するための装置。
【請求項１４】
電圧源（５）が再充電可能であり、別個の充電ステーションを有することを特徴とする、請求項１〜１３のいずれか一項に記載の病原性微生物を低減するための装置。
【請求項１５】
装置（１）が、身体内及び身体の上の金属修復部と接触する際に過電圧を回避するための電子制御システムを有することを特徴とする、請求項１〜１４のいずれか一項に記載の病原性微生物を低減するための装置。
【請求項１６】
時間測定装置が装置（１）に配置されることを特徴とする、請求項１〜１５のいずれか一項に記載の病原性微生物を低減するための装置。
【請求項１７】
前記電圧源用の充電ディスプレイが装置（１）に配置されることを特徴とする、請求項１〜１６のいずれか一項に記載の病原性微生物を低減するための装置。
【請求項１８】
電圧を制御するためのポテンショメータ（７）が装置（１）に配置されることを特徴とする、請求項１〜１７のいずれか一項に記載の病原性微生物を低減するための装置。
【請求項１９】
外部の調整可能な電圧源を介して装置（１）に電圧が提供されることを特徴とする、請求項１〜１８のいずれか一項に記載の病原性微生物を低減するための装置。
【発明の詳細な説明】
【技術分野】
【０００１】
本発明は、病原性微生物を低減するための装置に関する。
【背景技術】
【０００２】
人体の表面又はその中には、異なる多くの細菌が棲みついている。口腔は、細菌及び真菌のような病原性病原体の主要な侵入部位の１つである。
【０００３】
これらの病原性病原体は、従来、発病の場合に、例えば抗生物質及び抗真菌薬で概ね順調に治療されており、この場合、望ましくない副作用として、二次作用、不耐性及び耐性が常に生じる。
【０００４】
ほぼすべての抗生物質では、吐き気、嘔吐、下痢のような特に胃腸障害が頻繁に起きる。同様にアレルギー性の反応が広がり、多くの場合、該当する患者の抗生物質による治療さえも禁止される。
【０００５】
人間の口腔には、例えば多くの細菌株があり、その代謝生成物及び分解生成物は、細菌による歯垢として歯を覆う。歯垢の存在によって、口腔に棲みついている細菌に対する身体固有の拒絶反応が誘発され、この場合、特に酵素が遊離され、この酵素により、細菌を破壊し、より深い組織層への微生物の侵入を阻止する試みが行われるが成果なく、その代わりに、身体固有の組織の破壊をもたらす。この場合、細菌は、バイオフィルムによって抗生物質の作用から保護される。
【０００６】
したがって、毎日実施される口腔衛生の場合にも、身体固有の免疫反応の副作用によって口腔内の炎症に、例えば歯肉出血、歯周炎、骨の分解等に、最終的に歯周組織の不可逆の破壊に至る可能性がある。
【０００７】
歯周炎、顎骨の漸次の崩壊を伴う歯周組織の細菌によって誘発された炎症は、広範囲の病気であり、全ドイツ人の約８０％が異なるレベルの歯周炎にかかっている。
【０００８】
歯周病の治療のため、通常、歯石及び歯垢除去を含む徹底的な歯磨きが推奨されている。より詳しくは、いわゆる歯肉ポケット内の細菌の集積が問題であるので、歯周炎の治療は、通常、歯肉ポケット内に局所的に導入されるか又は全身的に例えば錠剤として投与される抗生物質の投与によって補助される。主な目標は、患者の口腔内の細菌数の迅速な低減である。
【０００９】
しかし、口の中では、他の病原性の微生物によって、ヘルペス、アフタ性潰瘍又は真菌症のような病気がもたらされる。
【００１０】
常に、薬による治療は、再発の危険が高い場合の治癒のために従来最も多く使用されている方法である。
【００１１】
他の例は、膣の真菌症又は膣の細菌感染の広い蔓延である。この場合も、抗真菌薬又は抗生物質が使用され、既述した望ましくない結果を伴う。この場合も、細菌を囲むバイオフィルムが抗生物質の作用を困難にする。
【００１２】
規則的な抗生物質の投与の好ましくない結果は周知であり、より詳しくは、一般に使用される抗生物質に対する多くの菌株の増大する耐性が、この場合非常に問題である。
【００１３】
抗菌作用は、既述した抗生物質とならんで、例えば銀イオンによっても達成される。このように、すでに古代に、傷の消毒のために又は水と食料を新鮮に保持するために銀が使用された。
【００１４】
銀のこの抗菌作用は、湿った環境内で銀イオンが遊離され、この銀イオンが近傍の細菌の細胞壁を攻撃して破壊することから説明される。したがって、銀は、実際に二次作用なしに使用することができる抗菌作用を有する。
【００１５】
特に独国実用新案第２９８０３２７７Ｕ１号明細書から、舌の表面にわたってこすられ、これによって、舌の上に棲みついている細菌の数が明らかに低減されるいわゆる銀製の舌洗浄器の使用が公知である。
【００１６】
銀を含有する練り歯磨き又はうがい水及び歯ブラシの使用も知られている。例えば、独国特許発明第１９５０８５３９号明細書に、弾性合成材料製のフィラメントを有する歯ブラシが提案されており、フィラメントは、唾液の影響下でイオン形態の銀を遊離する特に銀粒子を含有している。
【００１７】
これによって、歯ブラシは、より長いブラシ使用の後にも微生物膜を含まない。
【００１８】
同様に、独国特許発明第１０１４５２７５号明細書から、歯ブラシに使用するための異なる粒度の銀粒子を含む合成剛毛が公知である。
【００１９】
しかし、この場合、不都合なことは、フィラメントに組み込まれた銀粒子を有するこのような特別な歯ブラシの製造が高価であることがある。
【００２０】
歯ブラシにおける記載した使用だけでなく、例えば病院の特定の電灯スイッチ及びドアハンドルで、洗濯機で、包帯で、又はスポーツ用衣服に織り込まれた銀糸として、また、特に糸状菌形成を防ぐ壁塗料の成分として、合成材料製の抗菌表面のために銀イオンを使用することも知られている。
【００２１】
しかし、銀粒子をポリマーマトリックスに組み込む従来利用されてきた方法は、技術的に複雑かつ困難である。
【００２２】
上述のすべての装置及び方法では、湿分との接触によって溶解する銀イオンは、銀表面又は組織表面に直接作用する。しかし、より深い組織層における作用はこのように達成できない。
【００２３】
特に、一般に薬剤の作用を組織表面で達成するためのみならず、組織内の深部作用を達成するためにも、イオントフォレーシスによって組織内への活性物質の移送を達成することが公知である。
【００２４】
この場合、弱い直流の作用下で、活性物質が液体に溶かされて皮膚内に送り込まれ、この場合、活性物質を電場で移送できるように、活性物質は、イオンとして、すなわち固有の電荷として存在しなければならない。この場合、電流の強さは非常に低いので、患者はせいぜい軽いうずきを感じるに過ぎない。
【００２５】
イオントフォレーシスの公知の利用は、例えば、皮膚内への抗リューマチ軟膏の浸透深さの改善、又は水槽内の直流による過度に活性の汗腺の治療である。
【００２６】
例えば国際公開第０２／１９９４１Ａ１号パンフレットから、イオントフォレーシス装置が公知であり、この装置によって、特別な液体を適用することによって歯の過敏な象牙質が治療される。
【００２７】
患者は、その手にほぼ棒状の装置を保持し、この装置は、その内部に、電源と、液体形態の薬物活性成分が充填されかつ頭部端部を介して口の歯の表面に適用されるカートリッジとを有する。頭部端部が歯に接触すると、患者の腕を介して電流回路が閉じられ、活性成分が歯内に送り込まれる。
【００２８】
米国特許第３５２０２７９Ａ号明細書に、練り歯磨きの活性成分を歯の内部に移送するために、異なる金属の異なる導電性を歯ブラシの頭部領域で利用するイオントフォレーシス作用する歯ブラシが記載されている。公知の優れた電気導体として、この場合、銀材料も述べられている。
【００２９】
基本的に、活性成分をイオントフォレーシスによって可能な限り病巣の近くに移送するために、歯周炎を治療するためにより詳しくは口腔内で使用される特別に成形された装置も公知である。
【００３０】
例えば、ここで、米国特許第３５０２０７６Ａ号明細書が参照され、この文献には、海綿を有する特別な歯科印象の形状の吸口が開示されており、液体の薬剤がこの吸口を介してイオントフォレーシスによって歯及び顎の内部に移送される。この場合、電流回路は患者の身体を介して閉じられる。
【００３１】
独国特許発明第２８３９９６８Ｃ２号明細書に、同様に、特別に形成された口腔内のＵ字状のトラックが開示されており、このトラックは、それらの対向する分岐部に２つの電極を支持し、この結果、電流は口の中にのみ流れ、他の身体部分を通して流れない。さらに、電流方向を反転させることができる。トラックには、さらに、液体の活性物質が格納され、したがって、同様に、この装置は、イオントフォレーシスによるより深い組織層内への活性成分の移送に役立つ。公知の優れた銀の導電性のため特に銀を電極として使用することが提案される。
【００３２】
公知のイオントフォレーシス装置の欠点は、常に薬剤が発病した組織に送り込まれ、すなわち、病気の場合に薬物活性成分による治療が行われ、より長期間にわたる用途の場合に、人体がたいてい二次作用又は耐性をもってこの活性成分に反応することである。使用する電極のおそらくは抗菌性の作用は、イオントフォレーシスの場合に役割を果たさない。ここでは優れた導電性のみが重要であり、優れた導電性は、例えば銀の金属も呈する。
【００３３】
要約すると、公知のまた従来使用されている機械的な方法又は薬による治療は、身体の上及び中の病気の原因となる微生物の数の実際に永続的な低減を達成するには不十分であり、この場合、身体の自己組織を損傷する身体固有の免疫防御も弱められる可能性がある。
【発明の概要】
【発明が解決しようとする課題】
【００３４】
したがって、本発明の目的は、実際上すべての人間が、連続的に薬剤を服用するか又は使用する必要なしに、予防としての患者自身の身体における効果的な治療を、例えば日常の歯の手入れの際に、又は病気の場合に歯周炎予防を実施することが可能であるように、追加の薬による治療なしに、銀イオンの抗菌性作用を利用しつつ、病原性微生物を低減するために簡単に操作される装置を製造することである。
【課題を解決するための手段】
【００３５】
上記目的は、本発明に従って、請求項１の特徴を有する装置によって達成される。
【００３６】
有利な実施形態が、従属請求項に記載されている。
【００３７】
図において、本発明の有利な設計についてより詳細に説明しかつ記載する。
【図面の簡単な説明】
【００３８】
【図１】装置端部のプラス極に銀層を有するほぼ実物大の本発明による装置の図面である。
【図２】口に使用するための本発明による装置の特別な頭部の平面図である。
【図３】本発明による装置の膣プローブとして設計された特別な頭部の図面である。
【発明を実施するための形態】
【００３９】
図１に示した本発明による装置１は、殺菌可能な合成材料又はステンレス鋼製のケーシング２と、内部電流源５と、プラス極として好ましくは円形又は楕円の銀電極４を有する交換可能な合成材料の頭部３とから構成される。装置１は、例えば患者の右手で保持されるべきであり、手はケーシング２の導電性の中央部（マイナス極）６を確実に握る。
【００４０】
次に、患者は装置頭部３を患者の口腔に入れ、その歯肉、より詳しくは歯の歯肉縁を均一に内側から外側のみでなく上から下にマッサージし始め、プラス極として作用しかつ導電性の銀製フィルムを有する銀電極４は歯肉の上に直接位置することになる。
【００４１】
湿った歯肉と接触することによって、装置内部に格納されたバッテリ５から約０．５ｍＡの範囲のあるとしても感じることができない低い電流が、患者の腕を通して流れ、すなわち、電流回路が閉じられ、装置頭部３のプラス極４に銀イオンが遊離される。同様に、舌部又は顎粘膜を治療することができる。
【００４２】
図示していない電子制御システムは、安定した電流を提供し、例えば口腔内の金属修復部と接触した場合に過電圧を防止する。
【００４３】
同様に、制御装置７を介して電流の強さを制御することができる。
【００４４】
装置頭部３の銀電極４の遊離されたＡｇ＋イオンは、口腔に存在する細菌の外側の細胞壁に結合し、細菌の細胞を不可逆に損傷する。従来のイオントフォレーシスに常に使用され、二次作用を有する別の薬剤は、本発明によるこの装置では使用されない。
【００４５】
図２は、より詳しくは一般化した歯周炎を治療するために意図され、またほぼ顎状で断面がほぼＵ字状のトラックの形態の特別な装置頭部３を示している。この特別な装置頭部は、個別に製作されることが好ましい。
【００４６】
装置頭部３は、ケーブル９を介して装置１のハンドピース２に結合される。この場合、装置頭部３は、歯肉縁の周辺を歯頸まで完全に直接覆う０．９９９の純銀の内層１１から構成され、銀層は、予め測定された歯肉ポケットと少なくとも同一の幅である。
【００４７】
電流が流れる際にプラス極として銀イオンを歯肉内に遊離する純銀の層１１は、内側及び外側の歯肉縁に沿って、例えば可撓性の合成材料又はシリコーン製のほぼＵ字状のトラックの内面に位置する。この結果、銀１１は、口腔及び歯に対し絶縁され、治療すべき歯肉境界における銀層１１の正確な支持が与えられる。
【００４８】
この特別なトラックは、上部の顎及び下部の顎のために個別に製作され、また非常に柔軟であるので、歯の赤道にわたって挿入することができる。
【００４９】
患者は、以前のように装置グリップ（マイナス極）２を手に保持するが、個々の領域を別個に治療する必要なしに、顎全体を同時に治療する利点を有する。
【００５０】
本発明による装置の作動方法によって、アレルギー性反応、耐性の進展又は公知の抗生物質の二次作用を伴わずに、例えば歯周炎の原因である病原性細菌の規則的かつ永続的な除去が可能である。
【００５１】
この効果的な細菌除去は、すべての患者によって、家庭の口腔衛生に統合することによって問題なく実施することができ、また、歯医者における専門的な歯洗浄の経過中に実施することができる。したがって、電気歯ブラシの場合のように一体化された電圧源による自宅使用のための装置の基本的なモデル、及び歯医者及び歯科助手による専門的使用のための装置の両方を有することが可能であり、これらの装置は、任意選択的に、外部電源及び、例えば患者が手に保持する金属部分としてのマイナス極の外部配置のようなさらなる構造上の特徴を含み、このマイナス極は絶縁ケーブルを介して装置に結合され、また、装置の専門的使用のために必要な異なる形状及び大きさの交換可能かつ殺菌可能な装置頭部端部を有することが可能である。
【００５２】
少なくともプラス極の銀層は、より厚い銀層として、又は１回使用のための交換可能なより薄い銀製フィルムとして設計することができる。
【００５３】
銀イオンが非常に低い電流強さですでに高い抗菌性作用を有し、すなわち、細菌に対してのみならず、真菌及びウィルスに対しても効果的に適用できることにより、少なくとも銀のプラス極が、治療すべき身体の部位に可能な限り正確に取り付けられる限り、本発明による装置を人体内及び人体の表面の任意の部位に実際に使用することができ、したがって、各々の用途のために頭部端部を特別に成形しなければならない。
【００５４】
図３は、本発明による装置１の特別な頭部３を示しており、この頭部は、ほぼ円筒状の膣プローブとして設計され、ソケット８とケーブル９とを介して装置１のハンドグリップ（マイナス極）に結合されている。ソケットの一方の端部に、膣プローブ３が別のグリップ１０として成形される。
【００５５】
この特別な頭部３は、異なる大きさで設計することができ、かつ有利に殺菌可能であり、この結果、頭部を複数回使用することができる。重要なことは、頭部３が完全に又は部分的に銀からなり、この銀が内部の粘膜と接触し、電流が流れる際に抗菌性作用の銀イオンを遊離することである。
【００５６】
基本的に、例えば骨盤底筋を強化するために、刺激電流による銀なしの同様の形状の膣プローブが医療で使用されているが、抗菌性作用の銀イオンの使用はこの場合知られていない。
【００５７】
銀イオンは特定のがん細胞の分裂も阻止するので、例えば子宮頸がんのために、あるいは直腸がん及び前立腺がんのための適切に成形された直腸プローブによって、この方向の使用も可能である。
【００５８】
多くの研究から、銀イオンが、公知のすべての病原性細菌及び真菌及びウィルスに対しても効果的に作用し、これらの細菌は銀イオンに対する耐性を発生できないことが実証されている。銀に対する不耐性又はアレルギーは、知られていない。従来の唯一の二次作用としては、銀の吸収が高すぎる場合、皮膚又は粘膜の灰色変色（銀沈着症）が記載されており、これは、例えば銀含有の薬剤を摂取した後に、又は銀含有の化粧品を使用する際に観測された。灰色着色は、皮膚内への銀色の顕粒の堆積によって左右される。銀沈着症の閾値は、１日当たり１ｍｇ（成人、７０キログラム）の静脈内の銀の吸収によって達成される。
【００５９】
本発明による装置によって、銀沈着症の発症に必要であろうような身体内へのこのように高い銀の吸収は、決して達成されない。本発明による装置の２０分間の使用の場合、絶対的な銀の吸収は、０．５ｍＡで約１マイクログラムである。
【００６０】
薬剤の摂取又は使用の際に生じることが避けられない二次作用、アレルギー、耐性、使用制限及び不耐性のような公知の欠点のない病原性微生物に対する本発明による装置の有効性によって、使用者は、有効な簡単な及び廉価な予防及び治療の可能性を享受し、使用者の身体の健康上の負担なしに長期の成果が得られる。
【図１】
2011523365.tif 000003
【図２】
2011523365.tif 000004
【図３】
2011523365.tif 000005
【手続補正書】
【提出日】平成22年11月25日(2010.11.25)
【手続補正１】
【補正対象書類名】明細書
【補正対象項目名】００５９
【補正方法】変更
【補正の内容】
【００５９】
本発明による装置によって、銀沈着症の発症に必要であろうような身体内へのこのように高い銀の吸収は、決して達成されない。
【国際調査報告】
2011523365.tif 000006
2011523365.tif 000007
2011523365.tif 000008
2011523365.tif 000009